(57)【要約】  本発明の誘導加熱調理器は、高周波電流供給部（４）の加熱出力値が設定出力値になるように制御する出力設定部（１８）を有し高周波電流供給部（４）の加熱動作を制御する出力設定部（１８）を有する制御部（５）と、トッププレート（２）の下面に配置した電極（６）と、電極（６）にコンデンサ（１７）を介して高周波信号を供給する高周波信号発生部（７）と、電極（６）に加わる高周波信号を入力し直流電圧に変換する直流電圧変換部（８）および直流電圧変換部（８）の出力電圧の大きさを測定する電圧検知部（１９）を有し鍋（１）に収容された液体の吹き零れを検知する電圧検知部（１９）を有する吹き零れ検知部（９）と、を備え、電圧検知部（１９）を有する吹き零れ検知部（９）が吹き零れを検出し出力設定部（１８）を有する制御部（５）に吹き零れ検知信号を出力する誘導加熱調理器である。
2011155217.tif 000002
【特許請求の範囲】
【請求項１】
鍋を載置するトッププレートと、前記鍋を加熱する加熱コイルと、前記加熱コイルに高周波電流を供給する高周波電流供給部と、前記高周波電流供給部の加熱出力値を設定出力値になるよう制御する出力設定部を有し前記高周波電流供給部の加熱動作を制御する制御部と、前記トッププレートの下面に配置した電極と、前記電極にコンデンサを介して高周波信号を供給する高周波信号発生部と、前記電極に加わる前記高周波信号を入力し直流電圧に変換する直流電圧変換部と、前記直流電圧変換部の出力電圧の大きさを測定する電圧検知部を有する吹き零れ検知部と、を備え、
前記吹き零れ検知部は、吹き零れがない場合の前記直流電圧変換部の出力電圧である基準値からの上昇値を算出し、前記上昇値が所定上昇値より大きくなるときに、吹き零れを検知し前記制御部に吹き零れがあったことを出力することを特徴とする誘導加熱調理器。
【請求項２】
前記吹き零れ検知部は、前記加熱出力値を前記設定出力値から前記設定出力値より小さい第２設定出力値へ変更するとともに、当該変更前の前記直流電圧変換部の出力電圧の当該変更後の前記直流電圧変換部の出力電圧に対する差が、第１所定低下値より大きいとき、吹き零れを検知することを特徴とする請求項１記載の誘導加熱調理器。
【請求項３】
前記吹き零れ検知部は、前記上昇値が前記所定上昇値より大きくなってから第１所定待機時間が経過後、前記加熱出力値を前記第２設定出力値に変更することを特徴とする請求項２記載の誘導加熱調理器。
【請求項４】
前記吹き零れ検知部は、前記直流電圧変換部の出力電圧の前記第１所定待機時間が経過中の前記直流電圧変換部の出力電圧の最大値に対する差が、第２所定低下値より大きいとき、吹き零れを検知することを特徴とする請求項３記載の誘導加熱調理器。
【請求項５】
前記吹き零れ検知部は、前記加熱出力値を前記第２設定出力値に変更してからの第２所定待機時間が経過後、当該変更前の前記直流電圧変換部の出力電圧の前記第２所定待機時間が経過後の前記直流電圧変換部の出力電圧に対する差が、前記第２所定低下値より大きいとき、吹き零れを検知することを特徴とする請求項２又は３記載の誘導加熱調理器。
【請求項６】
前記吹き零れ検知部は、前記第２設定出力値に変更前の前記直流電圧変換部の出力電圧の前記第２所定待機時間が経過中の前記直流電圧変換部の出力電圧の最小値に対する差が、前記第２所定低下値より大きいとき、吹き零れを検知することを特徴とする請求項５記載の誘導加熱調理器。
【請求項７】
前記吹き零れ検知部は、前記第１所定待機時間が経過中の前記直流電圧変換部の出力電圧の最大値と、前記第２所定待機時間が経過中の前記直流電圧変換部の出力電圧の最小値に対する差が、前記第２所定低下値よりも大きいとき、吹き零れを検知することを特徴とする請求項３記載の誘導加熱調理器。
【請求項８】
前記吹き零れ検知部は、前記基準値の前記直流電圧変換部の出力電圧に対する差が、第３所定低下値より大きいとき、吹き零れを検知することを特徴とする請求項１記載の誘導加熱調理器。
【請求項９】
前記制御部は、前記加熱出力値が前記設定出力値となっているときに、前記吹き零れ検知部からの吹き零れ検知の出力を受けると、前記加熱出力値を前記第２設定出力値より小さい第３設定出力値に低下するか、もしくは、加熱を停止することを特徴とする請求項２又は３記載の誘導加熱調理器。
【請求項１０】
前記吹き零れ検知部は、前記直流電圧変換部の出力電圧の第３所定待機時間内の変化値が所定の出力電圧範囲以内である場合に、間欠的に測定した前記直流電圧変換部の出力電圧を前記基準値に置き換えることを特徴とする請求項１から９のうちいずれか１つに記載の誘導加熱調理器。
【発明の詳細な説明】
【技術分野】
【０００１】
本発明は、特に、通常調理時に起こりうる静電容量変化による吹き零れ誤検知を回避することを可能とした誘導加熱調理器に関する。
【背景技術】
【０００２】
従来、この種の誘導加熱調理器は、静電容量が、所定値よりも増加や減少など変動した場合、吹き零れと判定し、回路を停止させるか、または加熱コイルに流す高周波電流を減少させる構成となっている（例えば、特許文献１参照）。【０００３】
図９は、特許文献１に記載された従来の誘導加熱調理器の構成を示すブロック図である。図９に示すように、誘導加熱装置１０は、加熱コイル１１と、電極１２と、交流電源１３と、駆動回路１４と、制御回路１５と、静電容量測定回路１６とから構成されている。
【先行技術文献】
【特許文献】
【０００４】
【特許文献１】特開２００８−１５９４９４号公報
【発明の概要】
【発明が解決しようとする課題】
【０００５】
しかしながら、前記従来の構成では、静電容量が所定値よりも増加や減少など変動した場合全てにおいて、吹き零れと判定する。【０００６】
そのため、通常の調理時に起こりうる静電容量変動、例えば、鍋をずらした場合等、吹き零れでないときの静電容量の増加においても、加熱を停止、もしくは高周波電流を減少させてしまう。そして、吹き零れる可能性がない加熱開始から所定時間内においても、誤検知すると利用者が調理を継続することが不可能であった。【０００７】
本発明は、前記従来の課題を解決するもので、例えば、鍋をずらした場合等、吹き零れではない通常調理時に起こりうる静電容量変動がおこっても、加熱出力値を低下させず、吹き零れ誤検知を回避し、継続して調理を行うことができる誘導加熱調理器を提供することを目的とする。
【課題を解決するための手段】
【０００８】
本発明に係る誘導加熱調理器は、鍋を載置するトッププレートと、前記鍋を加熱する加熱コイルと、前記加熱コイルに高周波電流を供給する高周波電流供給部と、前記高周波電流供給部の加熱出力値を設定出力値になるよう制御する出力設定部を有し前記高周波電流供給部の加熱動作を制御する制御部と、前記トッププレートの下面に配置した電極と、前記電極にコンデンサを介して高周波信号を供給する高周波信号発生部と、前記電極に加わる前記高周波信号を入力し直流電圧に変換する直流電圧変換部と、前記直流電圧変換部の出力電圧の大きさを測定する電圧検知部を有する吹き零れ検知部と、を備え、
前記吹き零れ検知部は、吹き零れがない場合の前記直流電圧変換部の出力電圧である基準値からの上昇値を算出し、前記上昇値が所定上昇値より大きくなるときに、吹き零れを検知し前記制御部に吹き零れがあったことを出力することを特徴とする。【０００９】
また、前記吹き零れ検知部は、前記加熱出力値を前記設定出力値から前記設定出力値より小さい第２設定出力値へ変更するとともに、当該変更前の前記直流電圧変換部の出力電圧の当該変更後の前記直流電圧変換部の出力電圧に対する差が、第１所定低下値より大きいとき、吹き零れを検知することを特徴とする。【００１０】
さらに、前記吹き零れ検知部は、前記上昇値が前記所定上昇値より大きくなってから第１所定待機時間が経過後、前記加熱出力値を前記第２設定出力値に変更することを特徴とする。【００１１】
またさらに、前記吹き零れ検知部は、前記直流電圧変換部の出力電圧の前記第１所定待機時間が経過中の前記直流電圧変換部の出力電圧の最大値に対する差が、第２所定低下値より大きいとき、吹き零れを検知することを特徴とする。【００１２】
また、前記吹き零れ検知部は、前記加熱出力値を前記第２設定出力値に変更してからの第２所定待機時間が経過後、当該変更前の前記直流電圧変換部の出力電圧の前記第２所定待機時間が経過後の前記直流電圧変換部の出力電圧に対する差が、前記第２所定低下値より大きいとき、吹き零れを検知することを特徴とする。【００１３】
さらに、前記吹き零れ検知部は、前記第２設定出力値に変更前の前記直流電圧変換部の出力電圧の前記第２所定待機時間が経過中の前記直流電圧変換部の出力電圧の最小値に対する差が、前記第２所定低下値より大きいとき、吹き零れを検知することを特徴とする。【００１４】
またさらに、前記吹き零れ検知部は、前記第１所定待機時間が経過中の前記直流電圧変換部の出力電圧の最大値と、前記第２所定待機時間が経過中の前記直流電圧変換部の出力電圧の最小値に対する差が、前記第２所定低下値よりも大きいとき、吹き零れを検知することを特徴とする。【００１５】
また、前記吹き零れ検知部は、前記基準値の前記直流電圧変換部の出力電圧に対する差が、第３所定低下値より大きいとき、吹き零れを検知することを特徴とする。【００１６】
さらに、前記制御部は、前記加熱出力値が前記設定出力値となっているときに、前記吹き零れ検知部からの吹き零れ検知の出力を受けると、前記加熱出力値を前記第２設定出力値より小さい第３設定出力値に低下するか、もしくは、加熱を停止することを特徴とする。【００１７】
またさらに、前記吹き零れ検知部は、前記直流電圧変換部の出力電圧の第３所定待機時間内の変化値が所定の出力電圧範囲以内である場合に、間欠的に測定した前記直流電圧変換部の出力電圧を前記基準値に置き換えることを特徴とする。
【発明の効果】
【００１８】
本発明の誘導加熱調理器によれば、通常の調理時に起こりうる静電容量変動、例えば、鍋をずらした場合などの吹き零れでないときの静電容量の変化による吹き零れ検知の誤作動を防ぎ、利用者が継続して調理を行うことができる。
【図面の簡単な説明】
【００１９】
【図１】本発明の第１の実施形態に係る誘導加熱調理器の構成を示すブロック図である。
【図２】本発明の第２の実施形態に係る誘導加熱調理器の動作を示すフローチャートである。
【図３】本発明の第３の実施形態に係る誘導加熱調理器の動作を示すフローチャートである。
【図４】本発明の第４の実施形態に係る誘導加熱調理器の動作を示すフローチャートである。
【図５】図４の誘導加熱調理器の電圧検知部１９の時間に対する出力電圧の変化を示すグラフである。
【図６】本発明の第５の実施形態に係る誘導加熱調理器の動作を示すフローチャートである。
【図７】図６の誘導加熱調理器の電圧検知部１９の時間の出力電圧の変化を示すグラフである。
【図８】本発明の第６の実施形態に係る誘導加熱調理器の電圧検知部１９の時間に対する出力電圧の変化を示すグラフである。
【図９】従来の誘導加熱調理器の構成を示すブロック図である。
【発明を実施するための形態】
【００２０】
第１の発明は、鍋を載置するトッププレートと、前記鍋を加熱する加熱コイルと、前記加熱コイルに高周波電流を供給する高周波電流供給部と、前記高周波電流供給部の加熱出力値を設定出力値になるよう制御する出力設定部を有し前記高周波電流供給部の加熱動作を制御する制御部と、前記トッププレートの下面に配置した電極と、前記電極にコンデンサを介して高周波信号を供給する高周波信号発生部と、前記電極に加わる前記高周波信号を入力し直流電圧に変換する直流電圧変換部と、前記直流電圧変換部の出力電圧の大きさを測定する電圧検知部を有する吹き零れ検知部と、を備え、
前記吹き零れ検知部は、吹き零れがない場合の前記直流電圧変換部の出力電圧である基準値からの上昇値を算出し、前記上昇値が所定上昇値より大きくなるときに、吹き零れを検知する。
【００２１】
この構成によると、吹き零れをそのまま継続することなく調理中の安全性を向上させることができる。
【００２２】
第２の発明は、特に、第１の発明の吹き零れ検知部は、前記加熱出力値を前記設定出力値から前記設定出力値より小さい第２設定出力値へ変更するとともに、当該変更前の前記直流電圧変換部の出力電圧の当該変更後の前記直流電圧変換部の出力電圧に対する差が、第１所定低下値より大きいとき、吹き零れを検知する。
【００２３】
この構成によると、吹き零れと、例えば鍋ずれなどのお客様動作による誤検知とを切り分けることができる。
【００２４】
第３の発明は、特に、第２の発明の吹き零れ検知部は、前記上昇値が前記所定上昇値より大きくなってから第１所定待機時間が経過後、前記加熱出力値を前記第２設定出力値に変更する。
【００２５】
この構成によると、第１所定待機時間が経過後の出力電圧の上昇がより積極的になり、より吹き零れと、例えば鍋ずれなどのお客様動作による誤検知とを正確に切り分けることができる。
【００２６】
第４の発明は、特に、第３の発明の吹き零れ検知部は、前記直流電圧変換部の出力電圧の前記第１所定待機時間が経過中の前記直流電圧変換部の出力電圧の最大値に対する差が、第２所定低下値より大きいとき、吹き零れを検知する。
【００２７】
この構成によると、吹き零れによる出力電圧の上昇値の大小に関わらず、吹き零れと、例えば鍋ずれなどのお客様動作による誤検知とをより正確に切り分けることができる。
【００２８】
第５の発明は、特に、第２または第３の発明の吹き零れ検知部は、前記加熱出力値を前記第２設定出力値に変更してからの第２所定待機時間が経過後、当該変更前の前記直流電圧変換部の出力電圧の前記第２所定待機時間が経過後の前記直流電圧変換部の出力電圧に対する差が、前記第２所定低下値より大きいとき、吹き零れを検知する。
【００２９】
この構成によると、前記第２設定出力値に変更してからの出力電圧の低下がより積極的になり、吹き零れと、例えば鍋ずれなどのお客様動作による誤検知とをより正確に切り分けることができる。
【００３０】
第６の発明は、特に、第５の発明の吹き零れ検知部は、前記第２設定出力値に変更前の前記直流電圧変換部の出力電圧の前記第２所定待機時間が経過中の前記直流電圧変換部の出力電圧の最小値に対する差が、前記第２所定低下値より大きいとき、吹き零れを検知する。
【００３１】
この構成によると、吹き零れと、例えば鍋ずれなどのお客様動作による誤検知とをより正確に切り分けることができる。
【００３２】
第７の発明は、特に、第３の発明の吹き零れ検知部は、前記第１所定待機時間が経過中の前記直流電圧変換部の出力電圧の最大値と、前記第２所定待機時間が経過中の前記直流電圧変換部の出力電圧の最小値に対する差が、前記第２所定低下値よりも大きいとき、吹き零れを検知する。
【００３３】
この構成によると、吹き零れによる出力電圧の上昇値の大小に関わらず、吹き零れと、例えば鍋ずれなどのお客様動作による誤検知とをより正確に切り分けることができる。
【００３４】
第８の発明は、特に、第１の発明の吹き零れ検知部は、前記基準値の前記直流電圧変換部の出力電圧に対する差が、第３所定低下値より大きいとき、吹き零れを検知する。
【００３５】
この構成によると、アースの影響が支配的な、例えばトッププレートに接近した吹き零れなども検知することができる。
【００３６】
第９の発明は、特に、第２又は第３の制御部は、前記加熱出力値が前記設定出力値となっているときに、前記吹き零れ検知部からの吹き零れ検知の出力を受けると、前記加熱出力値を前記第２設定出力値より小さい第３設定出力値に低下するか、または、加熱を停止する。
【００３７】
この構成によると、前記吹き零れがそのまま継続することなく調理中の安全性をより向上させることができる。
【００３８】
第１０の発明は、特に、第１〜９のいずれか１つの吹き零れ検知部は、前記直流電圧変換部の出力電圧の第３所定待機時間内の変化値が所定の出力電圧範囲以内である場合に、間欠的に測定した前記直流電圧変換部の出力電圧を前記基準値に置き換える。
【００３９】
この構成によると、例えば、鍋ずれなどのお客様動作が連続的に行われても吹き零れと前記鍋ずれなどのお客様動作を正確に切り分けることができる。
【００４０】
以下、本発明の実施形態について、図面を参照しながら説明する。なお、この実施形態の形態によって本発明が限定されるものではない。
【００４１】
第１の実施形態．
以下、本発明の第１の実施形態について、図面を参照しながら説明する。
【００４２】
図１は、本発明の第１の実施形態に係る誘導加熱調理器の構成を示すブロック図である。
【００４３】
本発明の第１の実施形態に係る誘導加熱調理器は、鍋１を載置するトッププレート２と、前記鍋１を加熱する加熱コイル３と、前記加熱コイル３に高周波電流を供給する高周波電流供給部４と、前記高周波電流供給部４の加熱出力値を設定出力値になるよう制御する出力設定部１８を有し前記高周波電流供給部４の加熱動作を制御する制御部５と、前記トッププレート２の下面に配置した電極６と、前記電極６にコンデンサ１７を介して高周波信号を供給する高周波信号発生部７と、前記電極６に加わる前記高周波信号を入力し直流電圧に変換する直流電圧変換部８と、前記直流電圧変換部８の出力電圧の大きさを測定する電圧検知部１９を有する吹き零れ検知部９と、を備え、
前記吹き零れ検知部９は、吹き零れがない場合の前記直流電圧変換部８の出力電圧である基準値からの上昇値を算出し、前記上昇値が所定上昇値より大きくなるときに、吹き零れを検知し前記制御部５に吹き零れがあったことを出力することを特徴とする誘導加熱調理器である。
【００４４】
図１において、鍋１を載置するトッププレート２と、鍋１を加熱する加熱コイル３と、加熱コイル３に高周波電流を供給する高周波電流供給部４と、高周波電流供給部４の加熱出力値が設定出力値になるよう制御する出力設定部１８を有し高周波電流供給部４の加熱動作を制御する出力設定部１８を有した制御部５と、トッププレート２の下面に配置した電極６と、電極６にコンデンサ１７を介して高周波信号を供給する高周波信号発生部７と、電極６に加わる高周波信号を入力し直流電圧に変換する直流電圧変換部８と、直流電圧変換部８の出力電圧の大きさを測定する電圧検知部１９を有した鍋１に収容された液体の吹き零れを検知する吹き零れ検知部９とを備えている。高周波信号発生部７、直流電圧変換部８及び吹き零れ検知部９の共通電位がアース（大地）に対して不安定な電位である場合には、吹き零れにより検知電圧が基準値に対し上昇する場合がある。それで、本発明は、この場合でも検知電圧の上昇を検知して吹き零れの検知ができる。
【００４５】
鍋１は、誘導加熱調理器の外郭の一部を形成するトッププレート２上に載置される。そのとき、鍋１は加熱コイル３と対向する位置に載置される。トッププレート２は結晶化ガラスを使用することが多いが、それに限定するものではない。
【００４６】
加熱コイル３は、出力設定部１８を有する制御部５の指示に従って動作する高周波電流供給部４から高周波電流が供給され、その電流によって高周波磁界を発生させる。高周波磁界を受けた鍋１には渦電流が発生し、その渦電流によって鍋１が加熱される。
【００４７】
出力設定部１８を有する制御部５は、使用者が加熱の開始や停止、あるいは加熱出力値の調節を行った場合にも、出力設定部１８を有する制御部５は高周波電流供給部４を制御して所望の動作となるように制御するものである。
【００４８】
電極６は、トッププレート２の下面に塗布または接着などによって形成される導電体であって、トッププレート２上の導電体とでコンデンサを形成する。通常はトッププレート２上には何もない状態であるため、電極６と空気がその役割を果たす。しかし、鍋１、指、水、被調理物などの別の物がトッププレート２上にあると、それぞれの比誘電率が空気と異なるため静電容量が変化する。この静電容量の変化を電圧検知部１９を有する吹き零れ検知部９によって検出する。
【００４９】
なお、電圧検知部１９を有する吹き零れ検知部９は、静電容量の変化を直流電圧の変化などに変換して検知するものが多いが、それに限定するものではない。
【００５０】
以上のように構成された誘導加熱調理器について、以下その動作、作用を説明する。
【００５１】
使用者が加熱の開始を指示すると、出力設定部１８を有する制御部５は高周波電流供給部４を動作させて加熱コイル３に高周波電流を供給する。
【００５２】
これにより、加熱コイル３から高周波磁界が発生し、鍋１の加熱が開始する。
【００５３】
出力設定部１８を有する制御部５は、使用者が設定した火力になるように高周波電流供給部４を制御する。具体的には、例えば高周波電流供給部４から加熱コイル３への入力電流を検出し、その検出値を出力設定部１８を有する制御部５へ入力する。
【００５４】
出力設定部１８を有する制御部５は、使用者が設定した火力と高周波電流供給部４から加熱コイルへの入力電流とを比較して、高周波電流供給部４の動作状態を変更する。
【００５５】
このような動作を繰り返すことによって、使用者が設定した火力に制御し、その火力を維持するように出力設定部１８を有する制御部５は動作する。
【００５６】
このようにして鍋１を加熱している際、鍋１内の被調理物が沸点に到達するなどして被調理物が鍋１の外に吹き零れる場合がある。
【００５７】
その際、使用者が設定した火力を減少させることなく加熱を継続すると、鍋１から次々に被調理物がこぼれ、被調理物による火傷などに対する不安全性、誘導加熱調理器の吸排気口に被調理物が入って清掃することができなくなるなどの不具合が生じる可能性がある。
【００５８】
また、鍋１からトッププレート２上に吹き零れた被調理物が、熱が加わることによってトッププレート２にこびりついてしまう場合があった。
【００５９】
そこで、本発明の第１の実施形態では、吹き零れ検知部９は、吹き零れがない場合の直流電圧変換部８の出力電圧である基準値からの上昇値を算出し、上昇値が所定上昇値より大きくなるときに、吹き零れを検知することとしている。
【００６０】
また、吹き零れを検知すると、誘導加熱調理器の加熱出力値の減少、または、加熱を停止することにより、吹き零れの継続を防止し、調理における安全性や清掃性を向上させることができる。
【００６１】
第２の実施形態．
以下、本発明の第２の実施形態について、フローチャートを参照しながら説明する。
【００６２】
図２は、本発明の第２の実施形態に係る誘導加熱調理器の動作を示すフローチャートである。
【００６３】
なお、第１の実施形態と同じ構成物、動作については説明を省略する。
【００６４】
本発明の第２の実施形態に係る誘導加熱調理器の前記吹き零れ検知部９は、前記加熱出力値を前記設定出力値から前記設定出力値より小さい第２設定出力値へ変更するとともに、当該変更前の前記直流電圧変換部８の出力電圧の当該変更後の前記直流電圧変換部８の出力電圧に対する差が、第１所定低下値より大きいとき、吹き零れを検知することを特徴とする誘導加熱調理器である。
【００６５】
図２において、電圧検知部１９を有する吹き零れ検知部９は、吹き零れが開始することにより、直流電圧変換部８の出力電圧の基準値からの上昇値が所定上昇値より小さいと判定すると（ステップ２１）、吹き零れではないと判定し（ステップ２６）、吹き零れの検知は終了する。
【００６６】
また、直流電圧変換部８の出力電圧が所定上昇値より大きいと判定した場合には、吹き零れと判定し（ステップ２１）、加熱出力値を初期の設定出力値から当該設定出力値より小さい第２設定出力値に変更する（ステップ２２）。
【００６７】
次に、吹き零れ検知部９は、直流電圧変換部８の出力電圧の基準値からの低下幅が第１所定低下値より小さいと判定すると（ステップ２３）、吹き零れでないと判定し（ステップ２７）、吹き零れの検知は終了する。
【００６８】
また、吹き零れ検知部９は、直流電圧変換部８の出力電圧の基準値からの低下幅が第１所定低下値より大きいと判定すると（ステップ２３）、吹き零れを検知し（ステップ２４）、制御部５へ吹き零れ検知信号を出力し（ステップ２５）、吹き零れの検知は終了する。
【００６９】
ここにおいて、鍋ずらしの場合に静電容量があたかも小さくなったような振る舞いになる。即ち出力電圧は上昇する。この事例などのように、お客様の動作が原因で直流電圧変換部８の出力電圧が上昇した場合には、加熱出力値を設定出力値から設定出力値よりも小さい第２設定出力値へ変更後の直流電圧変換部８の出力電圧の基準値からの低下幅は第１所定低下値よりも小さい。鍋ずらしの場合の出力電圧は、誘導加熱の加熱出力の変化による影響が小さい。
【００７０】
本発明の第２の実施形態に係る誘導加熱調理器によると、前記吹き零れ検知部９は、前記加熱出力値を前記設定出力値から前記設定出力値より小さい第２設定出力値へ変更するとともに、当該変更前の前記直流電圧変換部８の出力電圧の当該変更後の前記直流電圧変換部８の出力電圧に対する差が、第１所定低下値より大きいとき、吹き零れを検知する。
【００７１】
従って、鍋ずれなどのお客様による動作による誤検知と吹き零れによる誤検知とを分別することによって調理中の鍋ずれなどのお客様による動作による誤検知がなくなり快適に調理を継続することができる。
【００７２】
好ましくは、前記吹き零れ検知部９は、前記加熱出力値を前記第２設定出力値に変更してからの第２所定待機時間が経過後、当該変更前の前記直流電圧変換部８の出力電圧の前記第２所定待機時間が経過後の前記直流電圧変換部の出力電圧に対する差が、前記第２所定低下値より大きいとき、吹き零れを検知するようにしてもよい。
【００７３】
好ましくは、前記吹き零れ検知部９は、前記第２設定出力値に変更前の前記直流電圧変換部８の出力電圧の前記第２所定待機時間が経過中の前記直流電圧変換部８の出力電圧の最小値に対する差が、前記第２所定低下値より大きいとき、吹き零れを検知するようにしてもよい。
【００７４】
第３の実施形態．
以下、本発明の第３の実施形態について、フローチャートを参照しながら説明する。
【００７５】
図３は、本発明の第３の実施形態に係る誘導加熱調理器の動作を示すフローチャートである。
【００７６】
なお、第１の実施形態と同じ構成物、動作については説明を省略する。
【００７７】
本発明の第３の実施形態に係る誘導加熱調理器の前記吹き零れ検知部９は、前記上昇値が前記所定上昇値より大きくなってから第１所定待機時間が経過後、前記加熱出力値を前記第２設定出力値に変更することを特徴とする誘導加熱調理器である。
【００７８】
図３において、電圧検知部１９を有する吹き零れ検知部９は、吹き零れが開始することにより、直流電圧変換部８の出力電圧の基準値からの上昇値が所定上昇値より小さいと判定すると（ステップ３１）、吹き零れではないと判定し（ステップ３７）、吹き零れの検知は終了する。
【００７９】
また、直流電圧変換部８の出力電圧の基準値からの上昇値が所定上昇値より大きいと判定した場合には吹き零れと判定し（ステップ３１）、第１所定待機時間が経過後（ステップ３２）、加熱出力値を初期の設定出力値から当該設定出力値より小さい第２設定出力値に変更する（ステップ３３）。
【００８０】
次に、吹き零れ検知部９は、直流電圧変換部８の出力電圧の基準値からの低下幅が第１所定低下値より小さいと判定すると（ステップ３４）、吹き零れではないと判定し（ステップ３８）、吹き零れの検知は終了する。
【００８１】
また、吹き零れ検知部９は、直流電圧変換部８の出力電圧の基準値からの低下幅が第１所定低下値より大きいと判定すると（ステップ３４）、吹き零れを検知し（ステップ３５）、制御部５へ吹き零れ検知信号を出力し（ステップ３６）、吹き零れの検知は終了する。
【００８２】
本発明の第３の実施形態に係る誘導加熱調理器の吹き零れ検知部９は、前記上昇値が前記所定上昇値より大きくなってから第１所定待機時間が経過後、前記加熱出力値を前記第２設定出力値に変更するため、吹き零れの開始から第１所定待機時間が経過することにより電圧検知部１９の出力電圧の上昇値がより積極的に上昇するようになり、さらに正確な吹き零れ検知を行うことができる。即ち、直流電圧変換部８の出力電圧の上昇値が十分となるため、吹き零れ検知の精度がさらに向上する。
【００８３】
好ましくは、本発明の第３の実施形態に係る誘導加熱調理器の前記吹き零れ検知部９は、前記直流電圧変換部８の出力電圧の前記第１所定待機時間が経過中の前記直流電圧変換部８の出力電圧の最大値に対する差が、第２所定低下値より大きいとき、吹き零れを検知するようにしてもよい。
【００８４】
さらに好ましくは、本発明の第３の実施形態に係る誘導加熱調理器の前記吹き零れ検知部９は、前記加熱出力値を前記第２設定出力値に変更してからの第２所定待機時間が経過後、当該変更前の前記直流電圧変換部８の出力電圧の前記第２所定待機時間が経過後の前記直流電圧変換部８の出力電圧に対する差が、前記第２所定低下値より大きいとき、吹き零れを検知するようにしてもよい。
【００８５】
さらに好ましくは、本発明の第３の実施形態に係る誘導加熱調理器の前記吹き零れ検知部９は、前記第２設定出力値に変更前の前記直流電圧変換部の出力電圧の前記第２所定待機時間が経過中の前記直流電圧変換部の出力電圧の最小値に対する差が、前記第２所定低下値より大きいとき、吹き零れを検知するようにしてもよい。
【００８６】
またさらに好ましくは、本発明の第３の実施形態に係る誘導加熱調理器の前記制御部５は、前記加熱出力値が前記設定出力値となっているときに、前記吹き零れ検知部９からの吹き零れ検知の出力を受けると、前記加熱出力値を前記第２設定出力値より小さい第３設定出力値に低下するか、もしくは、加熱を停止するようにしてもよい。
【００８７】
第４の実施形態．
以下、本発明の第４の実施形態について、フローチャートを参照しながら説明する。
【００８８】
図４は、本発明の第４の実施形態に係る誘導加熱調理器の動作を示すフローチャートである。また、図５は、図４の誘導加熱調理器の電圧検知部１９の時間に対する出力電圧の変化を示すグラフである。
【００８９】
なお、第１の実施形態と同じ構成物、動作については説明を省略する。
【００９０】
本発明の第４の実施形態に係る誘導加熱調理器の前記吹き零れ検知部９は、前記直流電圧変換部８の出力電圧の前記第１所定待機時間が経過中の前記直流電圧変換部８の出力電圧の最大値に対する差が、第２所定低下値より大きいとき、吹き零れを検知する誘導加熱調理器である。
【００９１】
また、本発明の第４の実施形態に係る誘導加熱調理器の前記吹き零れ検知部９は、前記加熱出力値を前記第２設定出力値に変更してからの第２所定待機時間が経過後、当該変更前の前記直流電圧変換部８の出力電圧の前記第２所定待機時間が経過後の前記直流電圧変換部８の出力電圧に対する差が、前記第２所定低下値より大きいとき、吹き零れを検知する誘導加熱調理器である。
【００９２】
また、本発明の第４の実施形態に係る誘導加熱調理器の前記吹き零れ検知部９は、前記第２設定出力値に変更前の前記直流電圧変換部８の出力電圧の前記第２所定待機時間が経過中の前記直流電圧変換部８の出力電圧の最小値に対する差が、前記第２所定低下値より大きいとき、吹き零れを検知する誘導加熱調理器である。
【００９３】
また、本発明の第４の実施形態に係る誘導加熱調理器の前記吹き零れ検知部９は、前記第１所定待機時間が経過中の前記直流電圧変換部８の出力電圧の最大値と、前記第２所定待機時間が経過中の前記直流電圧変換部８の出力電圧の最小値に対する差が、前記第２所定低下値よりも大きいとき、吹き零れを検知する誘導加熱調理器である。
【００９４】
図４において、電圧検知部１９を有する吹き零れ検知部９は、吹き零れが開始することにより、直流電圧変換部８の出力電圧の基準値からの上昇値が所定上昇値より小さいと判定すると（ステップ４１）、吹き零れではないと判定し（ステップ４８）、吹き零れの検知は終了する。
【００９５】
また、直流電圧変換部８の出力電圧の基準値からの上昇値が所定上昇値より大きいと判定した場合には吹き零れと判定し（ステップ４１）、第１所定待機時間が経過後（ステップ４２）、加熱出力値を初期の設定出力値から当該設定出力値より小さい第２設定出力値に変更する（ステップ４３）。
【００９６】
なお、第１所定待機時間が経過中の直流電圧変換部８の出力電圧の最大値ＶＭＡＸを吹き零れ検知部９内の、または、外部に接続したメモリ９ｍへ記憶する（ステップ４２）。
【００９７】
次に、第２設定出力値に変更（ステップ４３）の後、第２所定待機時間が経過中の直流電圧変換部８の出力電圧の最小値ＶＭＩＮを吹き零れ検知部９内の、または、外部に接続したメモリ９ｍへ記憶する（ステップ４４）。
【００９８】
次に、吹き零れ検知部９は、最大値ＶＭＡＸと最小値ＶＭＩＮとの出力電圧の差（ＶＭＡＸ−ＶＭＩＮ）が、第２所定低下値よりも小さいと判定すると（ステップ４５）、吹き零れではないと判定し（ステップ４９）、吹き零れの検知は終了する。
【００９９】
また、吹き零れ検知部９は、最大値ＶＭＡＸと最小値ＶＭＩＮとの出力電圧の差（ＶＭＡＸ−ＶＭＩＮ）が、第２所定低下値よりも大きいと判定すると（ステップ４５）、吹き零れを検知し（ステップ４６）、制御部５へ吹き零れ検知信号を出力し（ステップ４７）、そして、吹き零れの検知は終了する。
【０１００】
図５において、直流電圧変換部８の出力電圧の基準値からの上昇値が所定上昇値より大きくなることを検知した時から第１所定待機時間内の直流電圧変換部８の出力電圧の最大値ＶＭＡＸを記憶する。その後、直流電圧変換部８の出力電圧を第２設定出力値に変更した後の第２所定待機時間内の出力電圧の最小値ＶＭＩＮを記憶する。最小値ＶＭＩＮを記憶した後、最大値ＶＭＡＸと最小値ＶＭＩＮとの出力電圧の差（ＶＭＡＸ−ＶＭＩＮ）を算出し、吹き零れの有無を判定する。
【０１０１】
本発明の第４の実施形態に係る誘導加熱調理器の前記吹き零れ検知部９は、前記直流電圧変換部８の出力電圧の前記第１所定待機時間が経過中の前記直流電圧変換部８の出力電圧の最大値に対する差が、第２所定低下値より大きいとき、吹き零れを検知する。
【０１０２】
この構成によると、吹き零れによる出力電圧の上昇値の大小に関わらず、吹き零れと、例えば鍋ずれなどのお客様動作による誤検知とを、より正確に切り分けることができる。
【０１０３】
また、本発明の第４の実施形態に係る誘導加熱調理器の前記吹き零れ検知部９は、前記加熱出力値を前記第２設定出力値に変更してからの第２所定待機時間が経過後、当該変更前の前記直流電圧変換部８の出力電圧の前記第２所定待機時間が経過後の前記直流電圧変換部８の出力電圧に対する差が、前記第２所定低下値より大きいとき、吹き零れを検知する。
【０１０４】
この構成によると、前記第２設定出力値に変更してからの出力電圧の低下がより積極的になり、吹き零れと、例えば鍋ずれなどのお客様動作による誤検知とを、より正確に切り分けることができる。
【０１０５】
また、本発明の第４の実施形態に係る誘導加熱調理器の前記吹き零れ検知部９は、前記第２設定出力値に変更前の前記直流電圧変換部８の出力電圧の前記第２所定待機時間が経過中の前記直流電圧変換部８の出力電圧の最小値に対する差が、前記第２所定低下値より大きいとき、吹き零れを検知する。
【０１０６】
この構成によると、吹き零れと、例えば鍋ずれなどのお客様動作による誤検知とを、より正確に切り分けることができる。
【０１０７】
また、本発明の第４の実施形態に係る誘導加熱調理器の前記吹き零れ検知部９は、前記第１所定待機時間が経過中の前記直流電圧変換部８の出力電圧の最大値と、前記第２所定待機時間が経過中の前記直流電圧変換部８の出力電圧の最小値に対する差が、前記第２所定低下値よりも大きいとき、吹き零れを検知する。
【０１０８】
この構成によると、吹き零れによる出力電圧の上昇値の大小に関わらず、吹き零れと、例えば鍋ずれなどのお客様動作による誤検知とを、より正確に切り分けることができる。
【０１０９】
さらには、吹き零れが開始し、電圧検知部１９の直流電圧変換部８の出力電圧を最大値からの低下幅のみで検知しようとすると、吹き零れ規模が小さくて電極６との接触面積が少ない場合には前記上昇値が小さく前記低下幅のみでは正確に検知できないという問題を解消することができ、より正確な吹き零れ検知を行うことができる。
【０１１０】
第５の実施形態．
以下、本発明の第５の実施形態について、フローチャートを参照しながら説明する。
【０１１１】
図６は、本発明の第５の実施形態に係る誘導加熱調理器の動作を示すフローチャートである。
【０１１２】
図７は、図６の誘導加熱調理器の電圧検知部１９の時間に対する出力電圧の変化を示すグラフである。
【０１１３】
なお、第１の実施形態と同じ構成物、動作については説明を省略する。
【０１１４】
本発明の第５の実施形態に係る誘導加熱調理器の吹き零れ検知部９は、前記基準値の前記直流電圧変換部８の出力電圧に対する差が、第３所定低下値より大きいとき、吹き零れを検知する誘導加熱調理器である。
【０１１５】
図６において、吹き零れ検知部９は、吹き零れが開始することにより、直流電圧変換部８の出力電圧の基準値からの低下幅が第３所定低下値より小さいと判定すると（ステップ６１）、吹き零れではないと判定し（ステップ６４）、吹き零れの検知は終了する。
【０１１６】
また、吹き零れ検知部９は、直流電圧変換部８の出力電圧の基準値からの低下幅が第３所定低下値より大きいと判定すると（ステップ６１）、吹き零れを検知し（ステップ６２）、制御部５へ吹き零れ検知信号を出力し（ステップ６３）、そして、吹き零れの検知は終了する。
【０１１７】
図７において、直流電圧変換部８の出力電圧の基準値からの低下幅が第３所定低下値を超えたとき、吹き零れを検知することが示されている。
【０１１８】
本発明の第５の実施形態に係る誘導加熱調理器の前記吹き零れ検知部９は、前記基準値の前記直流電圧変換部の出力電圧に対する差が、第３所定低下値より大きいとき、吹き零れを検知することにより、アース（大地）に接続されたトッププレートを固定支持するフレーム（図示していない）付近への吹き零れによりアースの影響が支配的となり静電容量が増加しる出力電圧が低下する場合の吹き零れも低下値を検出し検知することができる。
【０１１９】
第６の実施形態．
以下、本発明の第６の実施形態について、グラフを参照しながら説明する。
【０１２０】
図８は、本発明の第６の実施形態に係る誘導加熱調理器の電圧検知部１９の時間に対する出力電圧の変化を示すグラフである。
【０１２１】
なお、第１の実施形態と同じ構成物、動作については説明を省略する。
【０１２２】
本発明の第６の実施形態に係る誘導加熱調理器の前記吹き零れ検知部９は、前記直流電圧変換部８の出力電圧の第３所定待機時間内の変化値が所定の出力電圧範囲以内である場合に、間欠的に測定した前記直流電圧変換部８の出力電圧を前記基準値に置き換える誘導加熱調理器である。
【０１２３】
図８において、吹き零れ検知部９は、直流電圧変換部８の出力電圧の第３所定待機時間内の変化値が、所定の出力電圧範囲以内である場合に、吹き零れがない場合の直流電圧変換部８の出力電圧である基準値を、第３所定待機時間の間隔で間欠的に測定した直流電圧変換部８の出力電圧で置き換えることを示している。これにより、ゆっくりとした静電容量の変化に基準値も追随して同様の変化をすることとなり変化値が小さくなる。なお、ここにおける所定の出力電圧範囲とは、誘導加熱調理器の加熱性能を損なわない範囲であればよく、特に、具体的な範囲に限定されるものではない。
【０１２４】
従って、ゆっくり鍋をずらした場合、布巾ふきをした場合、おたまなどの金属製の調理器具を使用した場合などのお客様動作が連続的に行われても、吹き零れとお客様動作による誤検知とを正確に切り分けることができ、快適に調理を継続することができる。
【０１２５】
なお、第６の実施形態の構成は上述した他の実施形態全てにおいても適用可能である。
【産業上の利用可能性】
【０１２６】
以上、詳述したように本発明に係る誘導加熱調理器によれば、吹き零れた被調理物を確実に検知し、調理性能を維持したまま吹き零れの継続を防止することができ、一般家庭などで使用される誘導加熱調理器に有用である。
【符号の説明】
【０１２７】
１  鍋、
２  トッププレート、
３、１１  加熱コイル、
４  高周波電流供給部、
５  出力設定部１８を有する制御部、
６、１２  電極、
７  高周波信号発生部、
８  直流電圧変換部、
９    電圧検知部１９を有する吹き零れ検知部、
９ｍ  メモリ
１０  誘導加熱装置、
１３  交流電源、
１４  駆動回路、
１５  制御回路、
１６  静電容量測定回路、
１７  コンデンサ、
１８  出力設定部、
１９  電圧検知部。
【図１】
2011155217.tif 000003
【図２】
2011155217.tif 000004
【図３】
2011155217.tif 000005
【図４】
2011155217.tif 000006
【図５】
2011155217.tif 000007
【図６】
2011155217.tif 000008
【図７】
2011155217.tif 000009
【図８】
2011155217.tif 000010
【図９】
2011155217.tif 000011
【手続補正書】
【提出日】平成24年8月27日(2012.8.27)
【手続補正１】
【補正対象書類名】明細書
【補正対象項目名】全文
【補正方法】変更
【補正の内容】
【発明の詳細な説明】
【技術分野】
【０００１】
本発明は、特に、通常調理時に起こりうる静電容量変化による吹き零れ誤検知を回避することを可能とした誘導加熱調理器に関する。
【背景技術】
【０００２】
従来、この種の誘導加熱調理器は、静電容量が、所定値よりも増加や減少など変動した場合、吹き零れと判定し、回路を停止させるか、または加熱コイルに流す高周波電流を減少させる構成となっている（例えば、特許文献１参照）。
【０００３】
図９は、特許文献１に記載された従来の誘導加熱調理器の構成を示すブロック図である。図９に示すように、誘導加熱装置１０は、加熱コイル１１と、電極１２と、交流電源１３と、駆動回路１４と、制御回路１５と、静電容量測定回路１６とから構成されている。
【先行技術文献】
【特許文献】
【０００４】
【特許文献１】特開２００８−１５９４９４号公報
【発明の概要】
【発明が解決しようとする課題】
【０００５】
しかしながら、前記従来の構成では、静電容量が所定値よりも増加や減少など変動した場合全てにおいて、吹き零れと判定する。
【０００６】
そのため、通常の調理時に起こりうる静電容量変動、例えば、鍋をずらした場合等、吹き零れでないときの静電容量の増加においても、加熱を停止、もしくは高周波電流を減少させてしまう。そして、吹き零れる可能性がない加熱開始から所定時間内においても、誤検知すると利用者が調理を継続することが不可能であった。
【０００７】
本発明は、前記従来の課題を解決するもので、例えば、鍋をずらした場合等、吹き零れではない通常調理時に起こりうる静電容量変動がおこっても、加熱出力値を低下させず、吹き零れ誤検知を回避し、継続して調理を行うことができる誘導加熱調理器を提供することを目的とする。
【課題を解決するための手段】
【０００８】
本発明に係る誘導加熱調理器は、鍋を載置するトッププレートと、前記鍋を加熱する加熱コイルと、前記加熱コイルに高周波電流を供給する高周波電流供給部と、前記高周波電流供給部の加熱出力値を設定出力値になるよう制御する出力設定部を有し前記高周波電流供給部の加熱動作を制御する制御部と、前記トッププレートの下面に配置した電極と、前記電極にコンデンサを介して高周波信号を供給する高周波信号発生部と、前記電極に加わる前記高周波信号を入力し直流電圧に変換する直流電圧変換部と、前記直流電圧変換部の出力電圧の大きさを測定する電圧検知部を有する吹き零れ検知部と、を備え、
前記吹き零れ検知部は、吹き零れがない場合の前記直流電圧変換部の出力電圧である基準値からの上昇値を算出し、前記上昇値が所定上昇値より大きくなるときに、吹き零れを検知し前記制御部に吹き零れがあったことを出力することを特徴とする。
【０００９】
また、前記吹き零れ検知部は、前記加熱出力値を前記設定出力値から前記設定出力値より小さい第２設定出力値へ変更するとともに、当該変更前の前記直流電圧変換部の出力電圧の当該変更後の前記直流電圧変換部の出力電圧に対する差が、第１所定低下値より大きいとき、吹き零れを検知することを特徴とする。
【００１０】
さらに、前記吹き零れ検知部は、前記上昇値が前記所定上昇値より大きくなってから第１所定待機時間が経過後、前記加熱出力値を前記第２設定出力値に変更することを特徴とする。
【００１１】
またさらに、前記吹き零れ検知部は、前記直流電圧変換部の出力電圧の前記第１所定待機時間が経過中の前記直流電圧変換部の出力電圧の最大値に対する差が、第２所定低下値より大きいとき、吹き零れを検知することを特徴とする。
【００１２】
また、前記吹き零れ検知部は、前記加熱出力値を前記第２設定出力値に変更してからの第２所定待機時間が経過後、当該変更前の前記直流電圧変換部の出力電圧の前記第２所定待機時間が経過後の前記直流電圧変換部の出力電圧に対する差が、前記第２所定低下値より大きいとき、吹き零れを検知することを特徴とする。
【００１３】
さらに、前記吹き零れ検知部は、前記第２設定出力値に変更前の前記直流電圧変換部の出力電圧の前記第２所定待機時間が経過中の前記直流電圧変換部の出力電圧の最小値に対する差が、前記第２所定低下値より大きいとき、吹き零れを検知することを特徴とする。
【００１４】
またさらに、前記吹き零れ検知部は、前記第１所定待機時間が経過中の前記直流電圧変換部の出力電圧の最大値と、前記第２所定待機時間が経過中の前記直流電圧変換部の出力電圧の最小値に対する差が、前記第２所定低下値よりも大きいとき、吹き零れを検知することを特徴とする。
【００１５】
また、前記吹き零れ検知部は、前記基準値の前記直流電圧変換部の出力電圧に対する差が、第３所定低下値より大きいとき、吹き零れを検知することを特徴とする。
【００１６】
さらに、前記制御部は、前記加熱出力値が前記設定出力値となっているときに、前記吹き零れ検知部からの吹き零れ検知の出力を受けると、前記加熱出力値を前記第２設定出力値より小さい第３設定出力値に低下するか、もしくは、加熱を停止することを特徴とする。
【００１７】
またさらに、前記吹き零れ検知部は、前記直流電圧変換部の出力電圧の第３所定待機時間内の変化値が所定の出力電圧範囲以内である場合に、間欠的に測定した前記直流電圧変換部の出力電圧を前記基準値に置き換えることを特徴とする。
【発明の効果】
【００１８】
本発明の誘導加熱調理器によれば、通常の調理時に起こりうる静電容量変動、例えば、鍋をずらした場合などの吹き零れでないときの静電容量の変化による吹き零れ検知の誤作動を防ぎ、利用者が継続して調理を行うことができる。
【図面の簡単な説明】
【００１９】
【図１】本発明の第１の実施形態に係る誘導加熱調理器の構成を示すブロック図である。
【図２】本発明の第２の実施形態に係る誘導加熱調理器の動作を示すフローチャートである。
【図３】本発明の第３の実施形態に係る誘導加熱調理器の動作を示すフローチャートである。
【図４】本発明の第４の実施形態に係る誘導加熱調理器の動作を示すフローチャートである。
【図５】図４の誘導加熱調理器の電圧検知部１９の時間に対する出力電圧の変化を示すグラフである。
【図６】本発明の第５の実施形態に係る誘導加熱調理器の動作を示すフローチャートである。
【図７】図６の誘導加熱調理器の電圧検知部１９の時間の出力電圧の変化を示すグラフである。
【図８】本発明の第６の実施形態に係る誘導加熱調理器の電圧検知部１９の時間に対する出力電圧の変化を示すグラフである。
【図９】従来の誘導加熱調理器の構成を示すブロック図である。
【発明を実施するための形態】
【００２０】
第１の発明は、鍋を載置するトッププレートと、前記鍋を加熱する加熱コイルと、前記加熱コイルに高周波電流を供給する高周波電流供給部と、前記高周波電流供給部の加熱出力値を設定出力値になるよう制御する出力設定部を有し前記高周波電流供給部の加熱動作を制御する制御部と、前記トッププレートの下面に配置した電極と、前記電極にコンデンサを介して高周波信号を供給する高周波信号発生部と、前記電極に加わる前記高周波信号を入力し直流電圧に変換する直流電圧変換部と、前記直流電圧変換部の出力電圧の大きさを測定する電圧検知部を有する吹き零れ検知部と、を備え、
前記吹き零れ検知部は、吹き零れがない場合の前記直流電圧変換部の出力電圧である基準値からの上昇値を算出し、前記上昇値が所定上昇値より大きくなるときに、吹き零れを検知する。
【００２１】
この構成によると、吹き零れをそのまま継続することなく調理中の安全性を向上させることができる。
【００２２】
第２の発明は、特に、第１の発明の吹き零れ検知部は、前記加熱出力値を前記設定出力値から前記設定出力値より小さい第２設定出力値へ変更するとともに、当該変更前の前記直流電圧変換部の出力電圧の当該変更後の前記直流電圧変換部の出力電圧に対する差が、第１所定低下値より大きいとき、吹き零れを検知する。
【００２３】
この構成によると、吹き零れと、例えば鍋ずれなどのお客様動作による誤検知とを切り分けることができる。
【００２４】
第３の発明は、特に、第２の発明の吹き零れ検知部は、前記上昇値が前記所定上昇値より大きくなってから第１所定待機時間が経過後、前記加熱出力値を前記第２設定出力値に変更する。
【００２５】
この構成によると、第１所定待機時間が経過後の出力電圧の上昇がより積極的になり、より吹き零れと、例えば鍋ずれなどのお客様動作による誤検知とを正確に切り分けることができる。
【００２６】
第４の発明は、特に、第３の発明の吹き零れ検知部は、前記直流電圧変換部の出力電圧の前記第１所定待機時間が経過中の前記直流電圧変換部の出力電圧の最大値に対する差が、第２所定低下値より大きいとき、吹き零れを検知する。
【００２７】
この構成によると、吹き零れによる出力電圧の上昇値の大小に関わらず、吹き零れと、例えば鍋ずれなどのお客様動作による誤検知とをより正確に切り分けることができる。
【００２８】
第５の発明は、特に、第２または第３の発明の吹き零れ検知部は、前記加熱出力値を前記第２設定出力値に変更してからの第２所定待機時間が経過後、当該変更前の前記直流電圧変換部の出力電圧の前記第２所定待機時間が経過後の前記直流電圧変換部の出力電圧に対する差が、前記第２所定低下値より大きいとき、吹き零れを検知する。
【００２９】
この構成によると、前記第２設定出力値に変更してからの出力電圧の低下がより積極的になり、吹き零れと、例えば鍋ずれなどのお客様動作による誤検知とをより正確に切り分けることができる。
【００３０】
第６の発明は、特に、第５の発明の吹き零れ検知部は、前記第２設定出力値に変更前の前記直流電圧変換部の出力電圧の前記第２所定待機時間が経過中の前記直流電圧変換部の出力電圧の最小値に対する差が、前記第２所定低下値より大きいとき、吹き零れを検知する。
【００３１】
この構成によると、吹き零れと、例えば鍋ずれなどのお客様動作による誤検知とをより正確に切り分けることができる。
【００３２】
第７の発明は、特に、第３の発明の吹き零れ検知部は、前記第１所定待機時間が経過中の前記直流電圧変換部の出力電圧の最大値と、前記第２所定待機時間が経過中の前記直流電圧変換部の出力電圧の最小値に対する差が、前記第２所定低下値よりも大きいとき、吹き零れを検知する。
【００３３】
この構成によると、吹き零れによる出力電圧の上昇値の大小に関わらず、吹き零れと、例えば鍋ずれなどのお客様動作による誤検知とをより正確に切り分けることができる。
【００３４】
第８の発明は、特に、第１の発明の吹き零れ検知部は、前記基準値の前記直流電圧変換部の出力電圧に対する差が、第３所定低下値より大きいとき、吹き零れを検知する。
【００３５】
この構成によると、アースの影響が支配的な、例えばトッププレートに接近した吹き零れなども検知することができる。
【００３６】
第９の発明は、特に、第２又は第３の制御部は、前記加熱出力値が前記設定出力値となっているときに、前記吹き零れ検知部からの吹き零れ検知の出力を受けると、前記加熱出力値を前記第２設定出力値より小さい第３設定出力値に低下するか、または、加熱を停止する。
【００３７】
この構成によると、前記吹き零れがそのまま継続することなく調理中の安全性をより向上させることができる。
【００３８】
第１０の発明は、特に、第１〜９のいずれか１つの吹き零れ検知部は、前記直流電圧変換部の出力電圧の第３所定待機時間内の変化値が所定の出力電圧範囲以内である場合に、間欠的に測定した前記直流電圧変換部の出力電圧を前記基準値に置き換える。
【００３９】
この構成によると、例えば、鍋ずれなどのお客様動作が連続的に行われても吹き零れと前記鍋ずれなどのお客様動作を正確に切り分けることができる。
【００４０】
以下、本発明の実施形態について、図面を参照しながら説明する。なお、この実施形態の形態によって本発明が限定されるものではない。
【００４１】
第１の実施形態．
以下、本発明の第１の実施形態について、図面を参照しながら説明する。
【００４２】
図１は、本発明の第１の実施形態に係る誘導加熱調理器の構成を示すブロック図である。
【００４３】
本発明の第１の実施形態に係る誘導加熱調理器は、鍋１を載置するトッププレート２と、前記鍋１を加熱する加熱コイル３と、前記加熱コイル３に高周波電流を供給する高周波電流供給部４と、前記高周波電流供給部４の加熱出力値を設定出力値になるよう制御する出力設定部１８を有し前記高周波電流供給部４の加熱動作を制御する制御部５と、前記トッププレート２の下面に配置した電極６と、前記電極６にコンデンサ１７を介して高周波信号を供給する高周波信号発生部７と、前記電極６に加わる前記高周波信号を入力し直流電圧に変換する直流電圧変換部８と、前記直流電圧変換部８の出力電圧の大きさを測定する電圧検知部１９を有する吹き零れ検知部９と、を備え、
前記吹き零れ検知部９は、吹き零れがない場合の前記直流電圧変換部８の出力電圧である基準値からの上昇値を算出し、前記上昇値が所定上昇値より大きくなるときに、吹き零れを検知し前記制御部５に吹き零れがあったことを出力することを特徴とする誘導加熱調理器である。
【００４４】
図１において、鍋１を載置するトッププレート２と、鍋１を加熱する加熱コイル３と、加熱コイル３に高周波電流を供給する高周波電流供給部４と、高周波電流供給部４の加熱出力値が設定出力値になるよう制御する出力設定部１８を有し高周波電流供給部４の加熱動作を制御する出力設定部１８を有した制御部５と、トッププレート２の下面に配置した電極６と、電極６にコンデンサ１７を介して高周波信号を供給する高周波信号発生部７と、電極６に加わる高周波信号を入力し直流電圧に変換する直流電圧変換部８と、直流電圧変換部８の出力電圧の大きさを測定する電圧検知部１９を有した鍋１に収容された液体の吹き零れを検知する吹き零れ検知部９とを備えている。高周波信号発生部７、直流電圧変換部８及び吹き零れ検知部９の共通電位がアース（大地）に対して不安定な電位である場合には、吹き零れにより検知電圧が基準値に対し上昇する場合がある。それで、本発明は、この場合でも検知電圧の上昇を検知して吹き零れの検知ができる。
【００４５】
鍋１は、誘導加熱調理器の外郭の一部を形成するトッププレート２上に載置される。そのとき、鍋１は加熱コイル３と対向する位置に載置される。トッププレート２は結晶化ガラスを使用することが多いが、それに限定するものではない。
【００４６】
加熱コイル３は、出力設定部１８を有する制御部５の指示に従って動作する高周波電流供給部４から高周波電流が供給され、その電流によって高周波磁界を発生させる。高周波磁界を受けた鍋１には渦電流が発生し、その渦電流によって鍋１が加熱される。
【００４７】
出力設定部１８を有する制御部５は、使用者が加熱の開始や停止、あるいは加熱出力値の調節を行った場合にも、出力設定部１８を有する制御部５は高周波電流供給部４を制御して所望の動作となるように制御するものである。
【００４８】
電極６は、トッププレート２の下面に塗布または接着などによって形成される導電体であって、トッププレート２上の導電体とでコンデンサを形成する。通常はトッププレート２上には何もない状態であるため、電極６と空気がその役割を果たす。しかし、鍋１、指、水、被調理物などの別の物がトッププレート２上にあると、それぞれの比誘電率が空気と異なるため静電容量が変化する。この静電容量の変化を電圧検知部１９を有する吹き零れ検知部９によって検出する。
【００４９】
なお、電圧検知部１９を有する吹き零れ検知部９は、静電容量の変化を直流電圧の変化などに変換して検知するものが多いが、それに限定するものではない。
【００５０】
以上のように構成された誘導加熱調理器について、以下その動作、作用を説明する。
【００５１】
使用者が加熱の開始を指示すると、出力設定部１８を有する制御部５は高周波電流供給部４を動作させて加熱コイル３に高周波電流を供給する。
【００５２】
これにより、加熱コイル３から高周波磁界が発生し、鍋１の加熱が開始する。
【００５３】
出力設定部１８を有する制御部５は、使用者が設定した火力になるように高周波電流供給部４を制御する。具体的には、例えば高周波電流供給部４から加熱コイル３への入力電流を検出し、その検出値を出力設定部１８を有する制御部５へ入力する。
【００５４】
出力設定部１８を有する制御部５は、使用者が設定した火力と高周波電流供給部４から加熱コイルへの入力電流とを比較して、高周波電流供給部４の動作状態を変更する。
【００５５】
このような動作を繰り返すことによって、使用者が設定した火力に制御し、その火力を維持するように出力設定部１８を有する制御部５は動作する。
【００５６】
このようにして鍋１を加熱している際、鍋１内の被調理物が沸点に到達するなどして被調理物が鍋１の外に吹き零れる場合がある。
【００５７】
その際、使用者が設定した火力を減少させることなく加熱を継続すると、鍋１から次々に被調理物がこぼれ、被調理物による火傷などに対する不安全性、誘導加熱調理器の吸排気口に被調理物が入って清掃することができなくなるなどの不具合が生じる可能性がある。
【００５８】
また、鍋１からトッププレート２上に吹き零れた被調理物が、熱が加わることによってトッププレート２にこびりついてしまう場合があった。
【００５９】
そこで、本発明の第１の実施形態では、吹き零れ検知部９は、吹き零れがない場合の直流電圧変換部８の出力電圧である基準値からの上昇値を算出し、上昇値が所定上昇値より大きくなるときに、吹き零れを検知することとしている。
【００６０】
また、吹き零れを検知すると、誘導加熱調理器の加熱出力値の減少、または、加熱を停止することにより、吹き零れの継続を防止し、調理における安全性や清掃性を向上させることができる。
【００６１】
第２の実施形態．
以下、本発明の第２の実施形態について、フローチャートを参照しながら説明する。
【００６２】
図２は、本発明の第２の実施形態に係る誘導加熱調理器の動作を示すフローチャートである。
【００６３】
なお、第１の実施形態と同じ構成物、動作については説明を省略する。
【００６４】
本発明の第２の実施形態に係る誘導加熱調理器の前記吹き零れ検知部９は、前記加熱出力値を前記設定出力値から前記設定出力値より小さい第２設定出力値へ変更するとともに、当該変更前の前記直流電圧変換部８の出力電圧の当該変更後の前記直流電圧変換部８の出力電圧に対する差が、第１所定低下値より大きいとき、吹き零れを検知することを特徴とする誘導加熱調理器である。
【００６５】
図２において、電圧検知部１９を有する吹き零れ検知部９は、吹き零れが開始することにより、直流電圧変換部８の出力電圧の基準値からの上昇値が所定上昇値より小さいと判定すると（ステップ２１）、吹き零れではないと判定し（ステップ２６）、吹き零れの検知は終了する。
【００６６】
また、直流電圧変換部８の出力電圧が所定上昇値より大きいと判定した場合には、吹き零れと判定し（ステップ２１）、加熱出力値を初期の設定出力値から当該設定出力値より小さい第２設定出力値に変更する（ステップ２２）。
【００６７】
次に、吹き零れ検知部９は、直流電圧変換部８の出力電圧の基準値からの低下幅が第１所定低下値より小さいと判定すると（ステップ２３）、吹き零れでないと判定し（ステップ２７）、吹き零れの検知は終了する。
【００６８】
また、吹き零れ検知部９は、直流電圧変換部８の出力電圧の基準値からの低下幅が第１所定低下値より大きいと判定すると（ステップ２３）、吹き零れを検知し（ステップ２４）、制御部５へ吹き零れ検知信号を出力し（ステップ２５）、吹き零れの検知は終了する。
【００６９】
ここにおいて、鍋ずらしの場合に静電容量があたかも小さくなったような振る舞いになる。即ち出力電圧は上昇する。この事例などのように、お客様の動作が原因で直流電圧変換部８の出力電圧が上昇した場合には、加熱出力値を設定出力値から設定出力値よりも小さい第２設定出力値へ変更後の直流電圧変換部８の出力電圧の基準値からの低下幅は第１所定低下値よりも小さい。鍋ずらしの場合の出力電圧は、誘導加熱の加熱出力の変化による影響が小さい。
【００７０】
本発明の第２の実施形態に係る誘導加熱調理器によると、前記吹き零れ検知部９は、前記加熱出力値を前記設定出力値から前記設定出力値より小さい第２設定出力値へ変更するとともに、当該変更前の前記直流電圧変換部８の出力電圧の当該変更後の前記直流電圧変換部８の出力電圧に対する差が、第１所定低下値より大きいとき、吹き零れを検知する。
【００７１】
従って、鍋ずれなどのお客様による動作による誤検知と吹き零れによる誤検知とを分別することによって調理中の鍋ずれなどのお客様による動作による誤検知がなくなり快適に調理を継続することができる。
【００７２】
好ましくは、前記吹き零れ検知部９は、前記加熱出力値を前記第２設定出力値に変更してからの第２所定待機時間が経過後、当該変更前の前記直流電圧変換部８の出力電圧の前記第２所定待機時間が経過後の前記直流電圧変換部の出力電圧に対する差が、前記第２所定低下値より大きいとき、吹き零れを検知するようにしてもよい。
【００７３】
好ましくは、前記吹き零れ検知部９は、前記第２設定出力値に変更前の前記直流電圧変換部８の出力電圧の前記第２所定待機時間が経過中の前記直流電圧変換部８の出力電圧の最小値に対する差が、前記第２所定低下値より大きいとき、吹き零れを検知するようにしてもよい。
【００７４】
第３の実施形態．
以下、本発明の第３の実施形態について、フローチャートを参照しながら説明する。
【００７５】
図３は、本発明の第３の実施形態に係る誘導加熱調理器の動作を示すフローチャートである。
【００７６】
なお、第１の実施形態と同じ構成物、動作については説明を省略する。
【００７７】
本発明の第３の実施形態に係る誘導加熱調理器の前記吹き零れ検知部９は、前記上昇値が前記所定上昇値より大きくなってから第１所定待機時間が経過後、前記加熱出力値を前記第２設定出力値に変更することを特徴とする誘導加熱調理器である。
【００７８】
図３において、電圧検知部１９を有する吹き零れ検知部９は、吹き零れが開始することにより、直流電圧変換部８の出力電圧の基準値からの上昇値が所定上昇値より小さいと判定すると（ステップ３１）、吹き零れではないと判定し（ステップ３７）、吹き零れの検知は終了する。
【００７９】
また、直流電圧変換部８の出力電圧の基準値からの上昇値が所定上昇値より大きいと判定した場合には吹き零れと判定し（ステップ３１）、第１所定待機時間が経過後（ステップ３２）、加熱出力値を初期の設定出力値から当該設定出力値より小さい第２設定出力値に変更する（ステップ３３）。
【００８０】
次に、吹き零れ検知部９は、直流電圧変換部８の出力電圧の基準値からの低下幅が第１所定低下値より小さいと判定すると（ステップ３４）、吹き零れではないと判定し（ステップ３８）、吹き零れの検知は終了する。
【００８１】
また、吹き零れ検知部９は、直流電圧変換部８の出力電圧の基準値からの低下幅が第１所定低下値より大きいと判定すると（ステップ３４）、吹き零れを検知し（ステップ３５）、制御部５へ吹き零れ検知信号を出力し（ステップ３６）、吹き零れの検知は終了する。
【００８２】
本発明の第３の実施形態に係る誘導加熱調理器の吹き零れ検知部９は、前記上昇値が前記所定上昇値より大きくなってから第１所定待機時間が経過後、前記加熱出力値を前記第２設定出力値に変更するため、吹き零れの開始から第１所定待機時間が経過することにより電圧検知部１９の出力電圧の上昇値がより積極的に上昇するようになり、さらに正確な吹き零れ検知を行うことができる。即ち、直流電圧変換部８の出力電圧の上昇値が十分となるため、吹き零れ検知の精度がさらに向上する。
【００８３】
好ましくは、本発明の第３の実施形態に係る誘導加熱調理器の前記吹き零れ検知部９は、前記直流電圧変換部８の出力電圧の前記第１所定待機時間が経過中の前記直流電圧変換部８の出力電圧の最大値に対する差が、第２所定低下値より大きいとき、吹き零れを検知するようにしてもよい。
【００８４】
さらに好ましくは、本発明の第３の実施形態に係る誘導加熱調理器の前記吹き零れ検知部９は、前記加熱出力値を前記第２設定出力値に変更してからの第２所定待機時間が経過後、当該変更前の前記直流電圧変換部８の出力電圧の前記第２所定待機時間が経過後の前記直流電圧変換部８の出力電圧に対する差が、前記第２所定低下値より大きいとき、吹き零れを検知するようにしてもよい。
【００８５】
さらに好ましくは、本発明の第３の実施形態に係る誘導加熱調理器の前記吹き零れ検知部９は、前記第２設定出力値に変更前の前記直流電圧変換部の出力電圧の前記第２所定待機時間が経過中の前記直流電圧変換部の出力電圧の最小値に対する差が、前記第２所定低下値より大きいとき、吹き零れを検知するようにしてもよい。
【００８６】
またさらに好ましくは、本発明の第３の実施形態に係る誘導加熱調理器の前記制御部５は、前記加熱出力値が前記設定出力値となっているときに、前記吹き零れ検知部９からの吹き零れ検知の出力を受けると、前記加熱出力値を前記第２設定出力値より小さい第３設定出力値に低下するか、もしくは、加熱を停止するようにしてもよい。
【００８７】
第４の実施形態．
以下、本発明の第４の実施形態について、フローチャートを参照しながら説明する。
【００８８】
図４は、本発明の第４の実施形態に係る誘導加熱調理器の動作を示すフローチャートである。また、図５は、図４の誘導加熱調理器の電圧検知部１９の時間に対する出力電圧の変化を示すグラフである。
【００８９】
なお、第１の実施形態と同じ構成物、動作については説明を省略する。
【００９０】
本発明の第４の実施形態に係る誘導加熱調理器の前記吹き零れ検知部９は、前記直流電圧変換部８の出力電圧の前記第１所定待機時間が経過中の前記直流電圧変換部８の出力電圧の最大値に対する差が、第２所定低下値より大きいとき、吹き零れを検知する誘導加熱調理器である。
【００９１】
また、本発明の第４の実施形態に係る誘導加熱調理器の前記吹き零れ検知部９は、前記加熱出力値を前記第２設定出力値に変更してからの第２所定待機時間が経過後、当該変更前の前記直流電圧変換部８の出力電圧の前記第２所定待機時間が経過後の前記直流電圧変換部８の出力電圧に対する差が、前記第２所定低下値より大きいとき、吹き零れを検知する誘導加熱調理器である。
【００９２】
また、本発明の第４の実施形態に係る誘導加熱調理器の前記吹き零れ検知部９は、前記第２設定出力値に変更前の前記直流電圧変換部８の出力電圧の前記第２所定待機時間が経過中の前記直流電圧変換部８の出力電圧の最小値に対する差が、前記第２所定低下値より大きいとき、吹き零れを検知する誘導加熱調理器である。
【００９３】
また、本発明の第４の実施形態に係る誘導加熱調理器の前記吹き零れ検知部９は、前記第１所定待機時間が経過中の前記直流電圧変換部８の出力電圧の最大値と、前記第２所定待機時間が経過中の前記直流電圧変換部８の出力電圧の最小値に対する差が、前記第２所定低下値よりも大きいとき、吹き零れを検知する誘導加熱調理器である。
【００９４】
図４において、電圧検知部１９を有する吹き零れ検知部９は、吹き零れが開始することにより、直流電圧変換部８の出力電圧の基準値からの上昇値が所定上昇値より小さいと判定すると（ステップ４１）、吹き零れではないと判定し（ステップ４８）、吹き零れの検知は終了する。
【００９５】
また、直流電圧変換部８の出力電圧の基準値からの上昇値が所定上昇値より大きいと判定した場合には吹き零れと判定し（ステップ４１）、第１所定待機時間が経過後（ステップ４２）、加熱出力値を初期の設定出力値から当該設定出力値より小さい第２設定出力値に変更する（ステップ４３）。
【００９６】
なお、第１所定待機時間が経過中の直流電圧変換部８の出力電圧の最大値ＶＭＡＸを吹き零れ検知部９内の、または、外部に接続したメモリ９ｍへ記憶する（ステップ４２）。
【００９７】
次に、第２設定出力値に変更（ステップ４３）の後、第２所定待機時間が経過中の直流電圧変換部８の出力電圧の最小値ＶＭＩＮを吹き零れ検知部９内の、または、外部に接続したメモリ９ｍへ記憶する（ステップ４４）。
【００９８】
次に、吹き零れ検知部９は、最大値ＶＭＡＸと最小値ＶＭＩＮとの出力電圧の差（ＶＭＡＸ−ＶＭＩＮ）が、第２所定低下値よりも小さいと判定すると（ステップ４５）、吹き零れではないと判定し（ステップ４９）、吹き零れの検知は終了する。
【００９９】
また、吹き零れ検知部９は、最大値ＶＭＡＸと最小値ＶＭＩＮとの出力電圧の差（ＶＭＡＸ−ＶＭＩＮ）が、第２所定低下値よりも大きいと判定すると（ステップ４５）、吹き零れを検知し（ステップ４６）、制御部５へ吹き零れ検知信号を出力し（ステップ４７）、そして、吹き零れの検知は終了する。
【０１００】
図５において、直流電圧変換部８の出力電圧の基準値からの上昇値が所定上昇値より大きくなることを検知した時から第１所定待機時間内の直流電圧変換部８の出力電圧の最大値ＶＭＡＸを記憶する。その後、直流電圧変換部８の出力電圧を第２設定出力値に変更した後の第２所定待機時間内の出力電圧の最小値ＶＭＩＮを記憶する。最小値ＶＭＩＮを記憶した後、最大値ＶＭＡＸと最小値ＶＭＩＮとの出力電圧の差（ＶＭＡＸ−ＶＭＩＮ）を算出し、吹き零れの有無を判定する。
【０１０１】
本発明の第４の実施形態に係る誘導加熱調理器の前記吹き零れ検知部９は、前記直流電圧変換部８の出力電圧の前記第１所定待機時間が経過中の前記直流電圧変換部８の出力電圧の最大値に対する差が、第２所定低下値より大きいとき、吹き零れを検知する。
【０１０２】
この構成によると、吹き零れによる出力電圧の上昇値の大小に関わらず、吹き零れと、例えば鍋ずれなどのお客様動作による誤検知とを、より正確に切り分けることができる。
【０１０３】
また、本発明の第４の実施形態に係る誘導加熱調理器の前記吹き零れ検知部９は、前記加熱出力値を前記第２設定出力値に変更してからの第２所定待機時間が経過後、当該変更前の前記直流電圧変換部８の出力電圧の前記第２所定待機時間が経過後の前記直流電圧変換部８の出力電圧に対する差が、前記第２所定低下値より大きいとき、吹き零れを検知する。
【０１０４】
この構成によると、前記第２設定出力値に変更してからの出力電圧の低下がより積極的になり、吹き零れと、例えば鍋ずれなどのお客様動作による誤検知とを、より正確に切り分けることができる。
【０１０５】
また、本発明の第４の実施形態に係る誘導加熱調理器の前記吹き零れ検知部９は、前記第２設定出力値に変更前の前記直流電圧変換部８の出力電圧の前記第２所定待機時間が経過中の前記直流電圧変換部８の出力電圧の最小値に対する差が、前記第２所定低下値より大きいとき、吹き零れを検知する。
【０１０６】
この構成によると、吹き零れと、例えば鍋ずれなどのお客様動作による誤検知とを、より正確に切り分けることができる。
【０１０７】
また、本発明の第４の実施形態に係る誘導加熱調理器の前記吹き零れ検知部９は、前記第１所定待機時間が経過中の前記直流電圧変換部８の出力電圧の最大値と、前記第２所定待機時間が経過中の前記直流電圧変換部８の出力電圧の最小値に対する差が、前記第２所定低下値よりも大きいとき、吹き零れを検知する。
【０１０８】
この構成によると、吹き零れによる出力電圧の上昇値の大小に関わらず、吹き零れと、例えば鍋ずれなどのお客様動作による誤検知とを、より正確に切り分けることができる。
【０１０９】
さらには、吹き零れが開始し、電圧検知部１９の直流電圧変換部８の出力電圧を最大値からの低下幅のみで検知しようとすると、吹き零れ規模が小さくて電極６との接触面積が少ない場合には前記上昇値が小さく前記低下幅のみでは正確に検知できないという問題を解消することができ、より正確な吹き零れ検知を行うことができる。
【０１１０】
第５の実施形態．
以下、本発明の第５の実施形態について、フローチャートを参照しながら説明する。
【０１１１】
図６は、本発明の第５の実施形態に係る誘導加熱調理器の動作を示すフローチャートである。
【０１１２】
図７は、図６の誘導加熱調理器の電圧検知部１９の時間に対する出力電圧の変化を示すグラフである。
【０１１３】
なお、第１の実施形態と同じ構成物、動作については説明を省略する。
【０１１４】
本発明の第５の実施形態に係る誘導加熱調理器の吹き零れ検知部９は、前記基準値の前記直流電圧変換部８の出力電圧に対する差が、第３所定低下値より大きいとき、吹き零れを検知する誘導加熱調理器である。
【０１１５】
図６において、吹き零れ検知部９は、吹き零れが開始することにより、直流電圧変換部８の出力電圧の基準値からの低下幅が第３所定低下値より小さいと判定すると（ステップ６１）、吹き零れではないと判定し（ステップ６４）、吹き零れの検知は終了する。
【０１１６】
また、吹き零れ検知部９は、直流電圧変換部８の出力電圧の基準値からの低下幅が第３所定低下値より大きいと判定すると（ステップ６１）、吹き零れを検知し（ステップ６２）、制御部５へ吹き零れ検知信号を出力し（ステップ６３）、そして、吹き零れの検知は終了する。
【０１１７】
図７において、直流電圧変換部８の出力電圧の基準値からの低下幅が第３所定低下値を超えたとき、吹き零れを検知することが示されている。
【０１１８】
本発明の第５の実施形態に係る誘導加熱調理器の前記吹き零れ検知部９は、前記基準値の前記直流電圧変換部の出力電圧に対する差が、第３所定低下値より大きいとき、吹き零れを検知することにより、アース（大地）に接続されたトッププレートを固定支持するフレーム（図示していない）付近への吹き零れによりアースの影響が支配的となり静電容量が増加しる出力電圧が低下する場合の吹き零れも低下値を検出し検知することができる。
【０１１９】
第６の実施形態．
以下、本発明の第６の実施形態について、グラフを参照しながら説明する。
【０１２０】
図８は、本発明の第６の実施形態に係る誘導加熱調理器の電圧検知部１９の時間に対する出力電圧の変化を示すグラフである。
【０１２１】
なお、第１の実施形態と同じ構成物、動作については説明を省略する。
【０１２２】
本発明の第６の実施形態に係る誘導加熱調理器の前記吹き零れ検知部９は、前記直流電圧変換部８の出力電圧の第３所定待機時間内の変化値が所定の出力電圧範囲以内である場合に、間欠的に測定した前記直流電圧変換部８の出力電圧を前記基準値に置き換える誘導加熱調理器である。
【０１２３】
図８において、吹き零れ検知部９は、直流電圧変換部８の出力電圧の第３所定待機時間内の変化値が、所定の出力電圧範囲以内である場合に、吹き零れがない場合の直流電圧変換部８の出力電圧である基準値を、第３所定待機時間の間隔で間欠的に測定した直流電圧変換部８の出力電圧で置き換えることを示している。これにより、ゆっくりとした静電容量の変化に基準値も追随して同様の変化をすることとなり変化値が小さくなる。なお、ここにおける所定の出力電圧範囲とは、誘導加熱調理器の加熱性能を損なわない範囲であればよく、特に、具体的な範囲に限定されるものではない。
【０１２４】
従って、ゆっくり鍋をずらした場合、布巾ふきをした場合、おたまなどの金属製の調理器具を使用した場合などのお客様動作が連続的に行われても、吹き零れとお客様動作による誤検知とを正確に切り分けることができ、快適に調理を継続することができる。
【０１２５】
なお、第６の実施形態の構成は上述した他の実施形態全てにおいても適用可能である。
【産業上の利用可能性】
【０１２６】
以上、詳述したように本発明に係る誘導加熱調理器によれば、吹き零れた被調理物を確実に検知し、調理性能を維持したまま吹き零れの継続を防止することができ、一般家庭などで使用される誘導加熱調理器に有用である。
【符号の説明】
【０１２７】
１  鍋、
２  トッププレート、
３、１１  加熱コイル、
４  高周波電流供給部、
５  出力設定部１８を有する制御部、
６、１２  電極、
７  高周波信号発生部、
８  直流電圧変換部、
９    電圧検知部１９を有する吹き零れ検知部、
９ｍ  メモリ
１０  誘導加熱装置、
１３  交流電源、
１４  駆動回路、
１５  制御回路、
１６  静電容量測定回路、
１７  コンデンサ、
１８  出力設定部、
１９  電圧検知部。
【手続補正２】
【補正対象書類名】特許請求の範囲
【補正対象項目名】全文
【補正方法】変更
【補正の内容】
【特許請求の範囲】
【請求項１】
鍋を載置するトッププレートと、前記鍋を加熱する加熱コイルと、前記加熱コイルに高周波電流を供給する高周波電流供給部と、前記高周波電流供給部の加熱出力値を設定出力値になるよう制御する出力設定部を有し前記高周波電流供給部の加熱動作を制御する制御部と、前記トッププレートの下面に配置した電極と、前記電極にコンデンサを介して高周波信号を供給する高周波信号発生部と、前記電極に加わる前記高周波信号を入力し直流電圧に変換する直流電圧変換部と、前記直流電圧変換部の出力電圧の大きさを測定する電圧検知部を有する吹き零れ検知部と、を備え、
前記吹き零れ検知部は、吹き零れがない場合の前記直流電圧変換部の出力電圧である基準値からの上昇値を算出し、前記上昇値が所定上昇値より大きくなるときに、吹き零れを検知し前記制御部に吹き零れがあったことを出力することを特徴とする誘導加熱調理器。
【請求項２】
前記吹き零れ検知部は、前記加熱出力値を前記設定出力値から前記設定出力値より小さい第２設定出力値へ変更するとともに、当該変更前の前記直流電圧変換部の出力電圧の当該変更後の前記直流電圧変換部の出力電圧に対する差が、第１所定低下値より大きいとき、吹き零れを検知することを特徴とする請求項１記載の誘導加熱調理器。
【請求項３】
前記吹き零れ検知部は、前記上昇値が前記所定上昇値より大きくなってから第１所定待機時間が経過後、前記加熱出力値を前記第２設定出力値に変更することを特徴とする請求項２記載の誘導加熱調理器。
【請求項４】
前記吹き零れ検知部は、前記直流電圧変換部の出力電圧の前記第１所定待機時間が経過中の前記直流電圧変換部の出力電圧の最大値に対する差が、第２所定低下値より大きいとき、吹き零れを検知することを特徴とする請求項３記載の誘導加熱調理器。
【請求項５】
前記吹き零れ検知部は、前記加熱出力値を前記第２設定出力値に変更してからの第２所定待機時間が経過後、当該変更前の前記直流電圧変換部の出力電圧の前記第２所定待機時間が経過後の前記直流電圧変換部の出力電圧に対する差が、前記第２所定低下値より大きいとき、吹き零れを検知することを特徴とする請求項２又は３記載の誘導加熱調理器。
【請求項６】
前記吹き零れ検知部は、前記第２設定出力値に変更前の前記直流電圧変換部の出力電圧の前記第２所定待機時間が経過中の前記直流電圧変換部の出力電圧の最小値に対する差が、前記第２所定低下値より大きいとき、吹き零れを検知することを特徴とする請求項５記載の誘導加熱調理器。
【請求項７】
前記吹き零れ検知部は、前記第１所定待機時間が経過中の前記直流電圧変換部の出力電圧の最大値と、前記第２所定待機時間が経過中の前記直流電圧変換部の出力電圧の最小値に対する差が、前記第２所定低下値よりも大きいとき、吹き零れを検知することを特徴とする請求項３記載の誘導加熱調理器。
【請求項８】
前記吹き零れ検知部は、前記基準値の前記直流電圧変換部の出力電圧に対する差が、第３所定低下値より大きいとき、吹き零れを検知することを特徴とする請求項１記載の誘導加熱調理器。
【請求項９】
前記制御部は、前記加熱出力値が前記設定出力値となっているときに、前記吹き零れ検知部からの吹き零れ検知の出力を受けると、前記加熱出力値を前記第２設定出力値より小さい第３設定出力値に低下するか、もしくは、加熱を停止することを特徴とする請求項２又は３記載の誘導加熱調理器。
【請求項１０】
前記吹き零れ検知部は、前記直流電圧変換部の出力電圧の第３所定待機時間内の変化値が所定の出力電圧範囲以内である場合に、間欠的に測定した前記直流電圧変換部の出力電圧を前記基準値に置き換えることを特徴とする請求項１から９のうちいずれか１つに記載の誘導加熱調理器。
【手続補正３】
【補正対象書類名】図面
【補正対象項目名】全図
【補正方法】変更
【補正の内容】
【図１】
2011155217.tif 000012
【図２】
2011155217.tif 000013
【図３】
2011155217.tif 000014
【図４】
2011155217.tif 000015
【図５】
2011155217.tif 000016
【図６】
2011155217.tif 000017
【図７】
2011155217.tif 000018
【図８】
2011155217.tif 000019
【図９】
2011155217.tif 000020
【国際調査報告】
2011155217.tif 000021
2011155217.tif 000022